(57)【要約】【課題】無線通信端末をどの位置に配置しても漏洩伝送路を介して無線通信を可能にし、しかも伝送損失を低減する。また、伝送路の遮断に対しても容易に対処する。【解決手段】基地局１に漏洩伝送路２-1と低損失伝送路３-1を並設した第１の伝送路を接続し、この第１の伝送路を第１のルート切替器４-1を介して漏洩伝送路２-2と低損失伝送路３-2を並設した第２の伝送路に接続し、この第２の伝送路を第２のルート切替器４-2を介して漏洩伝送路２-3と低損失伝送路３-3を並設した第３の伝送路に接続する。基地局は、例えば、第３の伝送路の近傍に配置された無線通信端末７と無線通信を行うときには、低損失伝送路３-1と低損失伝送路３-2が接続するように第１のルート切替器を切替え制御し、低損失伝送路３-2と漏洩伝送路２-3が接続するように第２のルート切替器を切替え制御する。【選択図】      図１
2006025093.tif 000002
【特許請求の範囲】
【請求項１】
漏洩伝送路と低損失伝送路を並設した伝送路を複数用意し、この伝送路の１つを基地局に接続し、前記各伝送路を、一方の側の漏洩伝送路を他方の側の漏洩伝送路又は低損失伝送路に接続し、或いは、一方の側の低損失伝送路を他方の側の漏洩伝送路又は低損失伝送路に接続する切替えを行うルート切替器をそれぞれ介して直列的に接続し、前記基地局は、無線通信端末と無線通信を行うときにはその無線通信端末が存在する位置の近傍にある漏洩伝送路を介して無線通信を行うように該当するルート切替器を切替え制御することを特徴とする無線通信システム。
【請求項２】
基地局は、無線通信端末と無線通信するときの送信信号にルート切替器を切替え制御する制御信号を重畳させ、
該当するルート切替器は、送信信号から制御信号を分離して切替え制御を行うことを特徴とする請求項１記載の無線通信システム。
【請求項３】
伝送路は、漏洩伝送路を支持する支持ケーブルを含み、前記支持ケーブル内に低損失伝送路を配線した構成としたことを特徴とする請求項１記載の無線通信システム。
【請求項４】
無線通信端末は伝送路に沿って各伝送路を順次移動し、基地局は、前記無線通信端末がどの伝送路位置にいるかを判断して該当するルート切替器に制御信号を送信し、該当するルート切替器は、前記基地局からの制御信号により前記無線通信端末が漏洩伝送路を介して前記基地局と無線通信を行うように切替え制御を行うことを特徴とする請求項１記載の無線通信システム。
【発明の詳細な説明】
【技術分野】
【０００１】
本発明は、漏洩伝送路と低損失伝送路を使用して基地局と無線通信端末とが無線通信を行う無線通信システムに関する。
【背景技術】
【０００２】
従来、中継装置に低損失伝送路である同軸ケーブを接続し、その同軸ケーブルにコネクタを介して漏洩同軸ケーブルを接続し、その漏洩同軸ケーブルにコネクタを介して別の同軸ケーブルを接続し、その同軸ケーブルにコネクタを介して別の漏洩同軸ケーブルを接続し、その漏洩同軸ケーブルにコネクタを介してさらに別の同軸ケーブルを接続し、この同軸ケーブルの終端にターミネータを接続し、これにより、設備コストの削減及び送信する信号レベルの減衰を抑えるものが知られている（例えば、特許文献１など）。
【０００３】
また、無線伝送するための電気信号を生成する無線機に電気信号と光信号とを交互に変換するＥ／Ｏ，Ｏ／Ｅ変換器を接続し、この変換器に光信号を伝送する光ファイバを接続し、この光ファイバにＥ／Ｏ，Ｏ／Ｅ変換器と光ファイバを交互に複数接続し、最初のＥ／Ｏ，Ｏ／Ｅ変換器にメタルケーブルを介して漏洩ケーブルを接続するとともに、以降のＥ／Ｏ，Ｏ／Ｅ変換器に位相調整器を介して漏洩ケーブルを接続し、これにより、伝送損失の増大を招くことなく、漏洩ケーブルの布設長さを延長して無線伝送の距離を延ばすようものが知られている（例えば、特許文献２など）。
【特許文献１】特開平０５−８３２５８号公報（段落「００１３」、図３など）
【特許文献２】特開２００２−３１４４６８号公報（段落「００１３」、「００１７」、図１など）
【発明の開示】
【発明が解決しようとする課題】
【０００４】
特許文献１においては、同軸ケーブル付近に無線送受信装置を配置したくなった場合、同軸ケーブルと漏洩同軸ケーブルとを取り替える必要があり、面倒な作業をしなければならなかった。しかも、漏洩同軸ケーブルに変更することにより、ターミネータ付近までの伝送損失が大きくなるという問題があった。また、漏洩同軸ケーブルの敷設状況によっては同軸ケーブルとの交換ができない場合があった。
【０００５】
特許文献２においては、隣接する漏洩ケーブルからの電波が互いに干渉することを防ぐために隣接する漏洩ケーブルから放射される電波信号の位相が連続となるように位相調整器によって位相を調整する必要があり、面倒な調整が必要であった。  
また、両特許文献とも、ケーブルや光ファイバの１本でも遮断した場合には、無線通信端末との通信が不能になるという問題があった。
【０００６】
本発明は、無線通信端末をどの位置に配置しても漏洩伝送路を介して無線通信ができ、しかも伝送損失を極力低減することができ、また、面倒な調整を不要にでき、伝送路の遮断に対しても容易に対処できる無線通信システムを提供する。
【課題を解決するための手段】
【０００７】
本発明は、漏洩伝送路と低損失伝送路を並設した伝送路を複数用意し、この伝送路の１つを基地局に接続し、各伝送路を、一方の側の漏洩伝送路を他方の側の漏洩伝送路又は低損失伝送路に接続し、或いは、一方の側の低損失伝送路を他方の側の漏洩伝送路又は低損失伝送路に接続する切替えを行うルート切替器をそれぞれ介して直列的に接続し、基地局は、無線通信端末と無線通信を行うときにはその無線通信端末が存在する位置の近傍にある漏洩伝送路を介して無線通信を行うように該当するルート切替器を切替え制御することにある。
【発明の効果】
【０００８】
本発明によれば、無線通信端末をどの位置に配置しても漏洩伝送路を介して無線通信ができ、しかも伝送損失を極力低減することができ、また、面倒な調整を不要にでき、伝送路の遮断に対しても容易に対処できる無線通信システムを提供できる。
【発明を実施するための最良の形態】
【０００９】
以下、本発明の実施の形態を、図面を参照して説明する。  
（第１の実施の形態）
図１に示すように、基地局１に、漏洩伝送路２-1と低損失伝送路３-1を並設した第１の伝送路の一端、すなわち、前記漏洩伝送路２-1及び低損失伝送路３-1の一端を接続している。前記漏洩伝送路２-1の他端を第１のルート切替器４-1のコネクタ１１に接続し、前記低損失伝送路３-1の他端を前記第１のルート切替器４-1のコネクタ１２に接続している。
【００１０】
前記第１のルート切替器４-1の別のコネクタ１３，１４に漏洩伝送路２-2と低損失伝送路３-2を並設した第２の伝送路の一端を接続している。すなわち、前記第１のルート切替器４-1のコネクタ１３に前記漏洩伝送路２-2の一端を接続し、前記第１のルート切替器４-1のコネクタ１４に前記低損失伝送路３-2の一端を接続している。前記漏洩伝送路２-2の他端を第２のルート切替器４-2のコネクタ３１に接続し、前記低損失伝送路３-2の他端を前記第２のルート切替器４-2のコネクタ３２に接続している。
【００１１】
前記第２のルート切替器４-2の別のコネクタ３３，３４に漏洩伝送路２-3と低損失伝送路３-3を並設した第３の伝送路の一端を接続している。すなわち、前記第２のルート切替器４-2のコネクタ３３に前記漏洩伝送路２-3の一端を接続し、前記第２のルート切替器４-2のコネクタ３４に前記低損失伝送路３-3の一端を接続している。前記漏洩伝送路２-3の他端を終端器４１に接続し、前記低損失伝送路３-2の他端を終端器４２に接続している。
【００１２】
前記各漏洩伝送路２-1，２-2，２-3は多数の放射スロットを有し、この放射スロットを介して外部に電波を放射するようになっている。  
前記第１の伝送路の付近には複数の無線通信端末５が配置され、この各無線通信端末５は漏洩伝送路２-1を介して前記基地局１と無線通信を行う。前記第２の伝送路の付近には複数の無線通信端末６が配置され、この各無線通信端末６は漏洩伝送路２-2を介して前記基地局１と無線通信を行う。前記第３の伝送路の付近には複数の無線通信端末７が配置され、この各無線通信端末７は漏洩伝送路２-3を介して前記基地局１と無線通信を行う。
【００１３】
前記基地局１は送信信号に前記各ルート切替器４-1，４-2を切替え制御する制御信号を重畳し、前記各ルート切替器４-1，４-2はこの送信信号から制御信号を分離して切替え動作を行うようになっている。
【００１４】
前記第１のルート切替器４-1は、図２に示すように、ルート切替えスイッチ２１、このルート切替えスイッチ２１を切替え制御する制御部２２、信号分離器２３、信号合成器２４及び４個のサーキュレータ２５，２６，２７，２８からなり、前記基地局１から低損失伝送路３-1及びコネクタ１２を介して入力した送信信号を、サーキュレータ２５を通して信号分離器２３に供給している。前記信号分離器２３は、受信した送信信号から無線通信端末への送信信号とルート切替えスイッチ２１を切替え制御する制御信号とを分離する。そして、分離した後の送信信号はサーキュレータ２６を介しルート切替えスイッチ２１へ送られ、また、制御信号は制御部２２へ送られる。また、前記基地局１から漏洩伝送路２-1を介して送られてきた送信信号はコネクタ１１を通り、ルート切替えスイッチ２１へ送られる。
【００１５】
前記制御部２２は制御信号によって前記ルート切替えスイッチ２１を切替え制御し、低損失伝送路３-1からの送信信号を漏洩伝送路２-2に出力、あるいは低損失伝送路３-2に出力する。また、漏洩伝送路２-1からの送信信号を漏洩伝送路２-2に出力、あるいは低損失伝送路３-2に出力する。低損失伝送路３-1からの送信信号を低損失伝送路３-2に出力する場合は、送信信号を、サーキュレータ２７を介して前記信号合成器２４に送る。前記信号合成器２４は、サーキュレータ２７からの送信信号と制御部２２に供給された制御信号とを合成し、サーキュレータ２８及びコネクタ１４を介して第２の伝送路の低損失伝送路３-2に送る。また、低損失伝送路３-1からの送信信号を第２の伝送路の漏洩伝送路２-2に出力する場合は、送信信号を、コネクタ１３を介して漏洩伝送路２-2に送る。
【００１６】
また、この第１のルート切替器４-1は、低損失伝送路３-2から送られる無線通信端末から基地局１への送信信号を、コネクタ１４を介して入力し、さらに、サーキュレータ２８、２７を通してルート切替えスイッチ２１に入力する。また、漏洩伝送路２-2から送られる無線通信端末から基地局１への送信信号を、コネクタ１３を介して入力し、ルート切替えスイッチ２１に入力する。そして、前記制御部２２はルート切替えスイッチ２１を制御し、低損失で基地局１に送信信号を送信するためにサーキュレータ２６、２５とコネクタ１２を介して低損失伝送路３-1を通り、基地局１に送るように伝送ルートを選択する。
【００１７】
図２は第１のルート切替器４-1についての構成と動作について述べたが、前記第２のルート切替器４-2も第１のルート切替器４-1と同一の構成、同一の動作を行うものであり、低損失伝送路３-2からの送信信号を漏洩伝送路２-3に出力、あるいは低損失伝送路３-3に出力する。また、漏洩伝送路２-2からの送信信号を漏洩伝送路２-3に出力、あるいは低損失伝送路３-3に出力する。また、低損失伝送路３-3からの送信信号を低損失伝送路３-2に出力する。また、漏洩伝送路２-3からの送信信号を低損失伝送路３-2に出力する。
【００１８】
前記第１、第２、第３の伝送路は図３に示す構成になっている。図３は各伝送路の断面を示しており、各伝送路は漏洩伝送路本体５１とこの漏洩伝送路本体５１を支持する支持ケーブル５２によって構成される。
【００１９】
前記漏洩伝送路本体５１は、外部絶縁体５３の外周を、放射スロット５４を設けた外部導体５５で覆い、前記外部絶縁体５３の中心部に内部導体５６が位置するように内部絶縁体５７を使用して前記内部導体５６を外部絶縁体５３に支持している。前記外部導体５５の外側を被覆部材５８で覆い、その被覆部材５８に前記支持ケーブル５２を固定している。前記支持ケーブル５２は、中心に低損失伝送路を形成する伝送線５９を配置し、その周囲に複数本の支持線６０を配置して束ね、これを被覆部材６１で被覆した構成になっている。
【００２０】
前記外部絶縁体５３及び内部絶縁体５７はポリエチレン等の絶縁材料からなり、前記外部導体５５は、アルミニウムまたは銅のテープを外部絶縁体５３の外周に巻いてパイプ状にしたものであり、前記内部導体５６はアルミニウムまたは銅のパイプからなる。前記被覆部材６１はポリエチレン等の絶縁材料からなる。前記支持線６０は亜鉛メッキ導線からなる。
【００２１】
このような構成においては、基地局１は第３の伝送路の付近に配置されている無線通信端末７と通信を行うときには、制御信号を重畳した送信信号を低損失伝送路３-1に送信する。第１のルート切替器４-1は、コネクタ１２からこの信号を受け取ると、サーキュレータ２５を介して信号分離器２３に供給する。信号分離器２３は送信信号から無線通信端末７への送信信号と制御信号を分離し、送信信号についてはサーキュレータ２６を介しルート切替えスイッチ２１へ送る。また、制御信号は制御部２２へ送る。制御部２２はサーキュレータ２６からの送信信号がサーキュレータ２７を介して信号合成器２４に供給されるようにルート切替えスイッチ２１を切替え制御する。
【００２２】
信号合成器２４は、サーキュレータ２７からの送信信号と制御部２２に供給された制御信号とを合成し、その合成した信号をサーキュレータ２８及びコネクタ１４を介して第２の伝送路の低損失伝送路３-2に送る。これにより、送信信号は低損失伝送路３-2を経由して第２のルート切替器４-2に送られる。
【００２３】
第２のルート切替器４-2は、コネクタ３２から信号を受け取ると、第１のルート切替器４-1と同様にサーキュレータを介して信号分離器に供給し、無線通信端末７への送信信号と制御信号を分離し、送信信号についてはサーキュレータを介しルート切替えスイッチへ送る。また、制御信号は制御部へ送る。制御部はここでは送信信号がコネクタ３３を介して漏洩伝送路２-3に送信されるようにルート切替えスイッチを切替え制御する。
【００２４】
こうして、送信信号は漏洩伝送路２-3に送信され、この漏洩伝送路２-3の放射スロット５４から外部に電波として放射される。この放射された電波は無線通信端末７が受信し、基地局１からの送信信号を受け取ることができる。
【００２５】
また、この状態で無線通信端末７から基地局１への送信信号があれば、無線通信端末７は漏洩伝送路２-3に向けて送信信号を放射する。漏洩伝送路２-3は無線通信端末７からの送信信号を受信すると、その信号を、コネクタ３３を介して第２のルート切替器４-2に供給する。第２のルート切替器４-2は送信信号を、コネクタ３２を介して低損失伝送路３-2に送り出す。この信号は低損失伝送路３-2及びコネクタ１４を介して第１のルート切替器４-1に供給する。第１のルート切替器４-1は送信信号を、コネクタ１２を介して低損失伝送路３-1に送り出す。こうして、無線通信端末７からの送信信号が基地局１に到達することになる。
【００２６】
このように、基地局１が無線通信端末７と通信を行う場合に、途中、第１の伝送路と第２の伝送路を通過するが、第１の伝送路と第２の伝送路は共に低損失伝送路３-1，３-2を通過するので、送信信号はほとんど減衰すること無く第３の伝送路の漏洩伝送路２-3に到達することができる。
【００２７】
また、基地局１が第１の伝送路の付近に配置されている無線通信端末５と通信を行うときには、漏洩伝送路２-1に直接送信信号を送信すればよい。また、基地局１が第２の伝送路の付近に配置されている無線通信端末６と通信を行うときには、第１のルート切替器４-1を、低損失伝送路３-1からの送信信号が漏洩伝送路２-2に送り出されるように切替え制御すればよい。このようにすることで、伝送路のどの位置に配置されている無線通信端末とも通信を行うことができる。
【００２８】
また、漏洩伝送路を介して無線通信端末と無線通信を行う場合に、隣接した伝送路を漏洩伝送路ではなく、低損失伝送路に設定すれば隣接する漏洩伝送路からの電波の放射を抑えることができる。例えば、第２の伝送路として漏洩伝送路２-2を選択して無線通信端末６と無線通信を行うときには、第１、第３の伝送路は低損失伝送路３-1，３-3が選択されるように各ルート切替器４-1，４-2を切替え制御する。  
このようにすることで、隣接する漏洩伝送路からの電波による干渉という問題はなく、位相を調整するような面倒な調整を不要にできる。また、終端器としては、第３の伝送路の漏洩伝送路２-3の他端と低損失伝送路３-3の他端にそれぞれ接続するのみでよく、全体で２個の終端器４１，４２で済む。
【００２９】
また、各伝送路は低損失伝送路と漏洩伝送路が並設しているので、一方の伝送路、特に低損失伝送路が遮断されるような事態が発生しても、それを並設している漏洩伝送路で容易に対処することができる。
【００３０】
例えば、図４の(a)に示すように、第１のルート切替器４-1によって低損失伝送路３-1と低損失伝送路３-2を接続し、第２のルート切替器４-2によって低損失伝送路３-2を漏洩伝送路２-3に接続し、基地局１が漏洩伝送路２-3を介して無線通信端末７と通信を行っているときに、図４の(b)に示すように、第２の伝送路の低損失伝送路３-2が遮断されたとすると、通信が途絶える。そこで、基地局１は第１のルート切替器４-1を切替え制御して低損失伝送路３-1を漏洩伝送路２-2に接続し、第２のルート切替器４-2を切替え制御して漏洩伝送路２-2を漏洩伝送路２-3に接続する。
【００３１】
これにより、基地局１と無線通信端末７は、低損失伝送路３-1、第１のルート切替器４-1、漏洩伝送路２-2、第２のルート切替器４-2、漏洩伝送路２-3からなる伝送経路を介して通信するようになる。この場合は、漏洩伝送路２-2での漏洩による損失が増加するが通信が不能になることはなく、充分に通信を維持することができる。
【００３２】
なお、本実施の形態では、第１、第２、第３の伝送路の伝送線を、漏洩伝送路を支持する支持ケーブルの中に配線したものについて述べたがこれに限定するものではなく、支持ケーブルの外に配線してもよく、また、支持ケーブルは必ずしも必要ではなく、無くてもよい。
【００３３】
（第２の実施の形態）
なお、前述した実施の形態と同一の部分には同一の符号を付し、詳細な説明は省略する。この実施の形態は基地局１から、ルート切替器への制御信号を送信信号に重畳させるのではなく、専用の信号線を使用して直接送信するようにしたものである。
【００３４】
すなわち、図５に示すように、基地局１は専用の信号線８を介して、第１のルート切替器９-1及び第２のルート切替器９-2に制御信号を送信するようにしている。
【００３５】
前記第１のルート切替器９-1は、図６に示すように、制御部２９を設け、前記基地局１からの制御信号を、信号線８を介して受信するようになっている。前記制御部２９は制御信号によってルート切替えスイッチ２１を切替え制御するが、その切替え制御は前述した第１の実施の形態と同様である。  
このように、基地局１からの制御信号を専用の信号線８を介して各ルート切替器９-1，９-2に供給しても前述した第１の実施の形態と同様の作用効果が得られるものである。
【００３６】
（第３の実施の形態）
なお、前述した実施の形態と同一の部分には同一の符号を付し、詳細な説明は省略する。  
この実施の形態は、図７に示すように、基地局１と終端器４１，４２との間に伝送路に沿って施設された線路４３の上を、無線通信端末４４を搭載した移動体４５が一定速度で移動するシステムに適用した場合について述べる。
【００３７】
基地局１は第１、第２、第３の伝送路の距離や第１、第２のルート切替器４-1，４-2、終端器４１，４２の設置位置を情報として予め把握している。そして、移動体４５が一定速度で移動するので、基地局１は時間の経過によって移動体４５が第１の伝送路に沿ったＴ1区間にいるのか、第２の伝送路に沿ったＴ2区間にいるのか、第３の伝送路に沿ったＴ3区間にいるのかを知ることができる。
【００３８】
そこで、基地局１は移動体４５が第１の伝送路に沿ったＴ1区間にいるときには、第１のルート切替器４-1を、漏洩伝送路２-1と低損失伝送路３-2が接続するように切替え制御し、第２のルート切替器４-2を、低損失伝送路３-2と低損失伝送路３-3が接続するように切替え制御する。
【００３９】
また、基地局１は移動体４５が第２の伝送路に沿ったＴ2区間にいるときには、第１のルート切替器４-1を、低損失伝送路３-1と漏洩伝送路２-2が接続するように切替え制御し、第２のルート切替器４-2を、漏洩伝送路２-2と低損失伝送路３-3が接続するように切替え制御する。
【００４０】
また、基地局１は移動体４５が第３の伝送路に沿ったＴ3区間にいるときには、第１のルート切替器４-1を、低損失伝送路３-1と低損失伝送路３-2が接続するように切替え制御し、第２のルート切替器４-2を、低損失伝送路３-2と漏洩伝送路２-3が接続するように切替え制御する。
【００４１】
このような構成においては、移動体４５は線路４３の上を一定の速度で移動するので、基地局１は移動体４５がどの区間にいるのか把握することができる。そして、基地局１は移動体４５がいる区間に応じて各ルート切替器４-1，４-2を切替え制御する。例えば、移動体４５が区間Ｔ2にいるときには第１のルート切替器４-1を、低損失伝送路３-1と漏洩伝送路２-2が接続するように切替え制御し、第２のルート切替器４-2を、漏洩伝送路２-2と低損失伝送路３-3が接続するように切替え制御する。
【００４２】
従って、区間Ｔ2を移動中の移動体４５は無線通信端末４４を使用して、低損失伝送路３-1と漏洩伝送路２-2の伝送経路で無線通信することができる。しかも、低損失伝送路３-1を使用しているので、伝送損失を低減できる。また、漏洩伝送路２-2は第２の伝送路に対しては低損失伝送路３-3と接続しているので、隣接する漏洩伝送路からの電波の干渉は生じない。その他についても前述した実施の形態と同様の作用効果が得られるものである。
【００４３】
（第４の実施の形態）
なお、前述した実施の形態と同一の部分には同一の符号を付し、詳細な説明は省略する。  
この実施の形態は、図８に示すように、基地局１と終端器４１，４２との間を、伝送路に沿って無線通信端末４６を搭載した移動体４７がランダムな速度で移動するシステムに適用した場合について述べる。
【００４４】
第１のルート切替器４-1の設置位置と第２のルート切替器４-2の設置位置に、それぞれ移動体４７の通過を検知する赤外線センサなどのセンサ４８-1，４８-2を設け、この各センサ４８-1，４８-2から検知信号を、信号線４９を介して基地局１に送信している。
【００４５】
前記基地局１は、移動体４７が基地局１の位置から移動を開始すると区間Ｔ1に入ったことを判断し、センサ４８-1から移動体４７の通過の検知信号を受信すると区間Ｔ2に入ったことを判断し、センサ４８-2から移動体４７の通過の検知信号を受信すると区間Ｔ3に入ったことを判断する。  
そして、前記基地局１は移動体４７が各区間Ｔ1、Ｔ2、Ｔ3にいるときには各ルート切替器４-1、４-2に対しては前述した第３の実施の形態と同様の切替え制御を行うようになっている。
【００４６】
このように、移動体４７が伝送路に沿ってランダムな速度で移動する場合でも移動体４７の通過を検知するセンサ４８-1，４８-2を使用することで基地局１は移動体４７がどの区間を移動しているのか、その位置を把握することができる。従って、それぞれの区間において漏洩伝送路と低損失伝送路を経由して基地局１と移動体４７の無線通信端末４６とは低損失で確実な通信ができる。そして、この実施の形態においても隣接する漏洩伝送路からの電波の干渉を受けることはない。その他についても前述した実施の形態と同様の作用効果が得られるものである。
【図面の簡単な説明】
【００４７】
【図１】本発明の、第１の実施の形態に係る無線通信システムを示す図。
【図２】同実施の形態におけるルート切替器の構成を示すブロック図。
【図３】同実施の形態における伝送路の構成を示す断面図。
【図４】同実施の形態における伝送路遮断時の動作を説明するための図。
【図５】本発明の、第２の実施の形態に係る無線通信システムを示す図。
【図６】同実施の形態におけるルート切替器の構成を示すブロック図。
【図７】本発明の、第３の実施の形態に係る無線通信システムを示す図。
【図８】本発明の、第４の実施の形態に係る無線通信システムを示す図。
【符号の説明】
【００４８】
１…基地局、２-1，２-2，２-3…漏洩伝送路、３-1，３-2，３-3…低損失伝送路、４-1…第１のルート切替器、４-2…第２のルート切替器、５，６，７…無線通信端末。
【図１】
2006025093.tif 000003
【図２】
2006025093.tif 000004
【図３】
2006025093.tif 000005
【図４】
2006025093.tif 000006
【図５】
2006025093.tif 000007
【図６】
2006025093.tif 000008
【図７】
2006025093.tif 000009
【図８】
2006025093.tif 000010